(57)【特許請求の範囲】
【請求項１】
集塵室と電動送風機室を備えるとともに本体外郭を形成するカバー体と、
前記電動送風機室に収容され、吸引風を発する電動送風機を内蔵するケース体と、
前記カバー体に設けた吸気口ならびに接続部と、
前記吸気口または前記接続部と接続されるホース接続管を有するホースとを備え、
前記ケース体は前記電動送風機からの排気風を流す流路を有し、前記流路には第１排気部と第２排気部とが設けられ、前記接続部は前記第２排気部と連通するよう配備され、
前記ホースの前記ホース接続管を、前記カバー体の前記接続部に接続したとき、前記ホース接続管の先端が、前記接続部と前記ケース体の前記第２排気部とを介して前記流路内に挿入される電気掃除機。
【請求項２】
排気風を流す流路において、第２排気部を第１排気部よりも上流部に設け、前記第２排気部を前記カバー体の前記接続部の内側の位置に設けた請求項１に記載の電気掃除機。
【請求項３】
第２排気部に開閉自在の蓋体を備え、前記蓋体は、カバー体の接続部の蓋を兼ねるように配備された請求項１または２に記載の電気掃除機。
【請求項４】
接続部にホース接続管を接続したとき、ホース接続管の挿入部によって蓋体が、第２排気部が開く方向へ動作するよう配備された請求項３に記載の電気掃除機。
【請求項５】
蓋体が第２排気部を開く方向へ動作したとき、前記蓋体が第１排気部への流路を塞ぐようにした請求項３または４に記載の電気掃除機。
【請求項６】
電動送風機の排気側から発せられた排気が第２排気部を閉じる方向に蓋体に衝突するように前記蓋体を配備した請求項３〜５のいずれか１項に記載の電気掃除機。
【請求項７】
第２排気部と電動送風機は隔壁によって隔てられている請求項１〜６のいずれか１項に記載の電気掃除機。
【発明の詳細な説明】
【技術分野】
【０００１】
本発明は、電気掃除機に関するもので、特に、排気をブロアーとして利用できる一般家庭で使用される電気掃除機に関するものである。
【背景技術】
【０００２】
従来、この種の電気掃除機の電気掃除機本体の前方には、集塵用ホースを着脱自在に接続する吸気口とこの吸気口に連通する集塵室が設けられている。また、掃除機本体の後方には、塵埃を吸引するための吸引風を発する電動送風機が配設され、掃除機本体の後面には、第２排気部と第１排気部が設けられており、前記第１排気部には、前記第２排気部を開閉する蓋体が設けられている。この蓋体は、バネ体によって第２排気部を閉塞する方向に付勢されている。
【０００３】
上記のように、通常は、第２排気部が蓋体により閉塞されており、電動送風機の排気は第１排気部から放出される。また、ブロアーとして使用する際には、ホース接続管を第２排気部に接続することにより、排気風はホース接続管を通り放出されていた（例えば、特許文献１参照）。
【先行技術文献】
【特許文献】
【０００４】
【特許文献１】特開昭６１−５０５３５号公報
【発明の概要】
【発明が解決しようとする課題】
【０００５】
しかしながら、前記従来の電気掃除機の構成では、第２排気部と第１排気部が本体外郭に構成されているため、ブロアーとして強い風を確保するためには、本体外郭を構成する複雑かつ複数の部品の隙間からの排気漏れを防ぐ特別の配慮が必要となるという課題を有していた。
【０００６】
本発明は、上記従来の課題を解決するもので、簡易な構成で、ブロアーとして強い風を確保することができる電気掃除機を提供することを目的とする。
【課題を解決するための手段】
【０００７】
前記従来の課題を解決するために、本発明の電気掃除機は、集塵室と電動送風機室を備えるとともに本体外郭を形成するカバー体と、前記電動送風機室に収容され、吸引風を発する電動送風機を内蔵するケース体と、前記カバー体に設けた吸気口ならびに接続部と、前記吸気口または前記接続部と接続されるホース接続管を有するホースとを備え、前記ケース体は前記電動送風機からの排気風を流す流路を有し、前記流路には第１排気部と第２排気部とが設けられ、前記接続部は前記第２排気部と連通するよう配備され、前記ホースの前記ホース接続管を、前記カバー体の前記接続部に接続したとき、前記ホース接続管の先端が、前記接続部と前記ケース体の前記第２排気部とを介して前記流路内に挿入されるもので、第２排気部と第１排気部がケース体に形成されているため、ケース体を構成する限られた部品からの排気漏れを防ぐだけでブロアーとして強い風を確保でき、本体外郭部品の隙間はブロアーの風に影響を与えない。これによって、ブロアーとして強い風を確保しながら、掃除機本体外郭を構成する部品間の構成を簡易なものとすることができる。
【発明の効果】
【０００８】
本発明の電気掃除機は、簡易な構成でブロアーとして強い風を確保することができる。
【図面の簡単な説明】
【０００９】
【図１】本発明の実施の形態１における電気掃除機の全体斜視図
【図２】同電気掃除機の後面図
【図３】同電気掃除機の中央断面図
【図４】同電気掃除機のケース体の斜視図
【図５】同ケース体の中央断面図
【図６】同ケース体の蓋体が開いた状態の中央断面図
【図７】同電気掃除機のブロワー使用状態の中央断面図
【発明を実施するための形態】
【００１０】
第１の発明は、集塵室と電動送風機室を備えるとともに本体外郭を形成するカバー体と、前記電動送風機室に収容され、吸引風を発する電動送風機を内蔵するケース体と、前記カバー体に設けた吸気口ならびに接続部と、前記吸気口または前記接続部と接続されるホース接続管を有するホースとを備え、前記ケース体は前記電動送風機からの排気風を流す流路を有し、前記流路には第１排気部と第２排気部とが設けられ、前記接続部は前記第２排気部と連通するよう配備され、前記ホースの前記ホース接続管を、前記カバー体の前記接続部に接続したとき、前記ホース接続管の先端が、前記接続部と前記ケース体の前記第２排気部とを介して前記流路内に挿入されるもので、第２排気部と第１排気部がケース体に形成されているため、ケース体を構成する限られた部品からの排気漏れを防ぐだけでブロアーとして強い風を確保でき、本体外郭部品の隙間はブロアーの風に影響を与えない。これによって、ブロアーとして強い風を確保しながら、掃除機本体外郭を構成する部品間の構成を簡易なものとすることができる。
【００１１】
第２の発明は、特に、第１の発明の排気風を流す流路において、第２排気部を第１排気部よりも上流部に設け、前記第２排気部を前記カバー体の前記接続部の内側の位置に設けたもので、排気の内、その多くの風量をブロアーとして利用することができる。
【００１２】
第３の発明は、特に、第１または第２の発明の第２排気部に開閉自在の蓋体を備え、前記蓋体は、カバー体の接続部の蓋を兼ねるように配備されたもので、単純な構成でより効率的にブロアーとして強い風を利用することができる。
【００１３】
第４の発明は、特に、第３の発明の接続部にホース接続管を接続したとき、ホース接続管の挿入部によって蓋体が、第２排気部が開く方向へ動作するよう配備されたもので、単純な構成でより効率的にブロアーとして強い風を利用することができる。
【００１４】
第５の発明は、特に、第３または第４の発明の蓋体が第２排気部を開く方向へ動作したとき、前記蓋体が第１排気部への流路を塞ぐようにしたもので、効率良くブロアーとして強い風を利用することができる。
【００１５】
第６の発明は、特に、第３〜５のいずれか１つの発明の電動送風機の排気側から発せられた排気が第２排気部を閉じる方向に蓋体に衝突するように前記蓋体を配備したもので、ブロアーを使用しない通常状態での第２排気部からの排気漏れを抑えることができる。
【００１６】
第７の発明は、特に、第１〜６のいずれか１つの発明の第２排気部と電動送風機は隔壁によって隔てられているもので、単純かつ効率よくブロアーとして排気風を利用できる構成を安全に実現することができる。
【００１７】
以下、本発明の実施の形態について、図面を参照しながら説明する。なお、この実施の形態によって本発明が限定されるものではない。
【００１８】
（実施の形態１）
図１は、本発明の実施の形態１における電気掃除機の全体斜視図、図２は、同電気掃除機の後面図、図３は、同電気掃除機の中央断面図、図４は、同電気掃除機のケース体の斜視図、図５は、同ケース体の中央断面図、図６は、同ケース体の蓋体が開いた状態の中央
断面図、図７は、同電気掃除機のブロワー使用状態の中央断面図である。
【００１９】
図１、２、３において、本実施の形態における電気掃除機の掃除機本体１の外郭は、下カバー２と上カバー３から成るカバー体４にて構成されている。掃除機本体１の前方には、アタッチメントの一つであるホース３０の一端に設けられたホース接続管１６を着脱自在に接続する吸気口１７と、この吸気口１７に連通する集塵室５が設けられている。集塵室５の後方には、電動送風機室６が形成されており、その電動送風機室６には、電動送風機７を内蔵するケース体８が収容されている。
【００２０】
３１は、床面の塵埃を吸引するための床ノズルで、延長管３２を介してホース３０の他端と連通するように接続される。掃除機本体１の後方両側面には、走行用のローラー３３が設けられている。
【００２１】
掃除機本体１の後面には、カバー体４にアタッチメント（図示せず）を接続可能とする接続部１８が設けられている。また掃除機本体１の上面には、電動送風機７の排気を器外に排出するための主排気口９が設けられている。
【００２２】
図４、５、６において、電動送風機７は、前サポーター１０と後サポーター１１を介し、第１ケース１２と第２ケース１３とで左右からそれらの内側に挟み込むように保持されて、ケース体８を形成している。ケース体８は、電動送風機７の排気側１４を覆っており、ケース体８は、上面に第１排気部１５、後面に第２排気部１９を構成しており、本実施の形態では、その２箇所以外の空気通路は設けていない。また、第２排気部１９を、流路の第１排気部１５よりも上流部に配備している。
【００２３】
ケース体８の内部において、電動送風機７の下側と後側にはそれぞれ下壁２０と後壁２１が設けられており、電動送風機７の排気側１４から発せられた排気の流路を形成しているとともに、第２排気部１９と電動送風機７を隔てる隔壁にもなっている。
【００２４】
第２排気部１９には、蓋体２２が配設され、蓋体２２は、軸２３を中心に回動することで開閉可能となっており、しかも、軸２３に設置されたばね体２４によって、蓋体２２が常時第２排気部１９を塞ぐ方向に付勢されている。また、第２排気部１９を塞いだ状態において、蓋体２２は、排気の流れる方向に対して平行ではなく角度αだけ傾いた状態に位置規制されている。
【００２５】
図３に示すように、ケース体８を、掃除機本体１に収容した状態において、ケース体８の第１排気部１５は、カバー体４の主排気口９の内側に位置する。ケース体８の第２排気部１９は、カバー体４の接続部１８の内側に位置しており、蓋体２２は、カバー体４の接続部１８に蓋をする形で外郭を形成している。
【００２６】
以上のように構成された本実施の形態における電気掃除機について、以下その動作、作用を説明する。
【００２７】
まず、通常の電気掃除機として使用する際には、ホース接続管１６を、掃除機本体１の吸気口１７に装着する。床ノズル３１で吸引された塵埃は、集塵室５にて捕集され、空気だけが、電動送風機７の排気側１４から排気される。電動送風機７の排気は、図５の矢印で示すように、迂回しながら第２排気部１９を経て第１排気部１５から外部に排出される。
【００２８】
このとき、第２排気部１９に配設された蓋体２２が、排気の流れる方向に対して角度αだけ傾いているため、流路を流れる排気が蓋体２２に衝突する。このような構成とするこ
とによって、蓋体２２が第２排気部１９を閉塞する方向に力が加わり、ケース体８と蓋体２２との間における排気漏れを防ぐことができ、ほとんどの排気が、第１排気部１５に流れ、カバー体４の主排気口９より器外に排出される。
【００２９】
次に、電動送風機７の排気をブロワーとして使用する際には、図７に示すように、ホース接続管１６を、カバー体４の接続部１８に挿入する。このとき、ホース接続管１６は、カバー体４の接続部１８と圧入嵌合する寸法関係になっており、接続部１８に挿入された状態にて保持される。
【００３０】
また同時に、ホース接続管１６の先端、すなわちホース接続管１６の挿入部が、蓋体２２を第２排気部１９が開く方向に回動させ、回動した蓋体２２は、第１排気部１５への流路を塞ぐ形で保持される。このような動作をすることによって、電動送風機７の排気は、図７の矢印で示すように迂回しながら第２排気部１９からホース接続管１６へ排出される。蓋体２２が、第１排気部１５を閉塞するよう位置するために、第１排気部１５への排気漏れを防ぐことができ、ほとんどの排気を効率良くブロワーとして利用できる。
【００３１】
また、本実施の形態では、電動送風機７の排気をケース体８で覆っているため、カバー体４の隙間は、ブロアーの風に影響を与えない。従来の電気掃除機では、第２排気部１９と第１排気部１５が、外郭を構成するカバー体４で形成されているため、ブロアーとして強い風を確保するためには、本体外郭を構成する複雑かつ複数の大型部品の隙間からの排気漏れを防ぐ特別の配慮が必要であったが、本実施の形態によれば、第２排気部１９と第１排気部１５がケース体８に形成されているため、ケース体８を構成する限られた部品からの排気漏れを防ぐだけでブロアーとして強い風を確保でき、この点が最大の利点である。したがって、カバー体４において、パッキンを部品間に挟んだり、複雑な金型を要すると共に寸法精度も必要となるインロー構造を配設したりという対策が必要ないため、安価で単純な構成にてブロアー機能を可能としている。
【００３２】
また、本発明のような構成をとると、カバー体４の接続部１８から作為的に指を入れることも可能であり、カバー体４内部には、充電部や回転部を有する電動送風機７があるため安全上の配慮が必要であるが、本実施の形態では、電動送風機７の下側と後側にはそれぞれ下壁２０と後壁２１が設けられ、それらが、第２排気部１９と電動送風機７との隔壁の役割を果たしておるため、電動送風機７に作為的に触れることができない。このように、使用者が、電動送風機７に効率よくブロアーとしての排気風の利用できる構成を、安全を確保した上で実現することができる。
【産業上の利用可能性】
【００３３】
以上のように、本発明にかかる電気掃除機は、安価で簡易な構成でブロワーとしての強い風を利用することが可能となるので、家庭用、業務用等の各種電気掃除機の用途に有用である。
【符号の説明】
【００３４】
４  カバー体
５  集塵室
６  電動送風機室
７  電動送風機
８  ケース体
１４  排気側
１５  第１排気部
１６  ホース接続管（アタッチメント）
１８  接続部
１９  第２排気部
２０  下壁（隔壁）
２１  後壁（隔壁）
【図１】
0005636743.tif 000002
【図２】
0005636743.tif 000003
【図３】
0005636743.tif 000004
【図４】
0005636743.tif 000005
【図５】
0005636743.tif 000006
【図６】
0005636743.tif 000007
【図７】
0005636743.tif 000008